(57)【特許請求の範囲】
【請求項１】
水道用メーターの１次側に止水栓、２次側に逆止弁を着合してリリースに締着支持されたメーターユニットの、
逆止弁と水道用メーターのメーター本体部を被覆するカバー本体の止水栓側端部（Ｍ）に、止水栓エルボの栓体立ち上がり部（Ｃｂ）を貫通させる合成貫通孔嵌合枠形成部（３）を上部と左右の三方に設けると共に、
エルボの外側下端部を被覆するエルボカバー（４）に、前記カバー本体の止水栓側端部（Ｍ）にエルボカバー（４）を角度９０度ずつ変位させて着合できるように設けた嵌合凸部（Ｍａ）に対応する嵌合凹部（Ｍｂ）を設けて
栓体立ち上がり方向に合わせてカバー本体とエルボカバー（４）を嵌合し、
前記カバー本体とエルボカバー（４）の嵌合によって合成形成された嵌合枠（４ｂ）を貫通して立ち上がる栓体（Ｃ）に、底部にエルボの外側下端部を被覆するエルボカバー（４）の合成貫通孔嵌合枠（４ｂ）と嵌合する通孔嵌合枠（３ｂ）、側部に栓体通孔嵌合枠（５２ａ）、上部に給水配管連結孔（５３）を設けて二分割した栓体カバー（５Ａ）、（５Ｂ）を挟着し、
更に、栓体通孔（５２）から突出する栓体（Ｃｃ）をキャップカバー（６）で被覆することを特徴とする
水道用メーターユニット保護カバー
【請求項２】
逆止弁と水道用メーターのメーター本体部を被覆するカバー本体（１）を、
上部にメーター確認窓口（１１）、側端部に配管継手口（１２）を開口し、前記メーター確認窓口（１１）の開口部の一端に同開口部の開閉蓋（２）を開閉可能に軸支する支軸を支持するヒンジ部（１１ａ）を形成し、
長手方向に沿って分割した一対の側当て本体カバー片（１Ａ）、（１Ｂ）と、支軸を設けた前記窓口開閉蓋（２）とによって構成した
請求項１記載の水道用メーターユニット保護カバー
【請求項３】
複数のカバー片を嵌着合成して構成されるカバー本体（１）、エルボカバー（４）及び栓体カバー（５）等の全部又はそれらの内の一部について、それぞれの構成カバー片における嵌合端面を着脱可能に接合させる部分のカバー片同士における一部又は全部の接合構造を、
対応するカバー片の接面を厚み方向と長さ方向にそれぞれ区分し、
一方片接面の上段区分の一部を接合中心から張出して他方片の嵌合凹部に嵌入する嵌合凸部、他の区分を接合中心から凹陥して他方片の嵌合凸部を受け入れる嵌合凹部とし、
上記嵌合凸部の下段は他方片の嵌合凸部を受け入れる嵌合凹部、嵌合凹部の下段は他方片の嵌合凹部に嵌入する嵌合凸部に構成し、
嵌め合いにより厚み方向と長さ方向をそれぞれ支持し合って接合するように構成した
請求項１又は請求項２記載の水道用メーターユニット保護カバー
【請求項４】
カバー本体（１）に設ける合成貫通孔嵌合枠形成部（３）の半円状通孔部に、破砕可能な膜壁（３ｃ）を張設するように構成した
請求項１又は請求項２又は請求項３記載の水道用メーターユニット保護カバー    
【請求項５】
保護カバーの素材を、発泡ポリスチレンとした請求項１又は請求項２又は請求項３又は請求項４記載の水道用メーターユニット保護カバー
【発明の詳細な説明】
【技術分野】
【０００１】
本発明は、集合住宅など設置環境から設置スペースや配管方向等が制約されている場所に水道用メーターを設置する場合に用いる水道用メーターの配管連結リリースに締着支持されたメーターを保温したり、衝撃から防護したりするために用いる水道用メーターユニット保護カバーに関するものである。
【背景技術】
【０００２】
従来、この種の保温カバーは、特許文献１に示されるように給水管に継手と止水栓とを介して接続された量水器に長手方向に沿って分割された約４５倍の発泡ポリスチロール樹脂製のカバー片で密着被覆するもの、特許文献２のように密着被覆ではなく断熱保温ボックス内に発熱体を保持するもの等が用いられてきた。
【０００３】
その後、メーターが地中に埋設された保護枡から、例えば集合住宅の階段の踊り場の側壁部に設けられるパイプシャフト等に設置されるようになり、特許文献３、４、５に示されるように配管連結リリースに締着支持されたメーターユニットが主流となり、メーターユニットに対する全体的保温カバーが開発されてきた。
【０００４】
リリースに締着支持されたメーターユニットに対する保護、保温は、埋設等による保護環境を整えることができず発泡ポリエチレンによる特別な保温カバーが用いられ、リリースの長手方向に沿って分割されたカバー片によって、メーター本体、止水栓、逆止弁を含めてユニット全体に左右から覆着されるようになっていた。なお、カバー素材としては発泡スチロールが用いられ、構造的な強化を図るためカバー片の接合面を嵌合構造とすることも本願出願人によって提案されている（特許文献６）。
【特許文献１】実開昭５２−５４１５６号マイクロフィルム
【特許文献２】特開平６−３５３６４号公報
【特許文献３】特開昭６２−１８４５００号公報
【特許文献４】特開２００２−８８８２７号公報
【特許文献５】特許第３６５６０２４号公報
【特許文献６】特開２００４−１２４３７１号公報
【発明の開示】
【発明が解決しようとする課題】
【０００５】
しかしながら、設置場所が埋設された保護枡から、集合住宅のパイプシャフト等に変化したことからリリースに締着支持されるユニットへの取水構成が変化し、止水栓が様々な位置にある取水源に対応できるエルボ回動型に変化してきており、メーターのユニット形態が同一でも止水栓のエルボ回動位置が異なるごとにカバーの形状も異なってくるため汎用性に欠け、上記特許文献に記載のカバー構成では取水源である現場給水管の設定位置を確認してカバー成形を行わなければならないため対応できないという問題がある。
【０００６】
また、従来の保温カバーは複雑な形状の被着物に対する被着作業が面倒であり、分割されたカバー片の着合も分割面同志の着合が面着合であるため、カバー片の着合位置を合わせる必要があり、仮止め等を行ってズレを無くしてから面状ファスナーで本固定するといった手順が必要であり、カバー素材が発泡ポリエチレンで脆いこともあって被着作業中カバー片が欠けたりして、安定した被着状態を維持することが困難であった。
【０００７】
カバー片の分割面同志の嵌合着合については、上記特許文献６の発明によって提案されるところであるが、止水栓のエルボ回動によって上方或いは左右側方と変化することにより、止水栓部の被着形状が複雑となり、逆止弁とメーター本体部を被覆するカバー本体との一体性を嵌合着合によって行うことは困難であった。
【０００８】
また、従来の発泡ポリエチレンを素材とする保温カバーは、エチレンの重合体で融点が７０度Ｃから１１０度Ｃと低く、引火性もあるため、メーター設置場所が地下埋設から地上の集合住宅のパイプシャフト等に変化したことにより、設置環境が火と無縁でなくなったことへの対応も問題であった。
【課題を解決するための手段】
【０００９】
本発明は上記した問題に対応しようとするものであり、逆止弁とメーター本体部を被覆する本体カバーとエルボ回動する止水栓の被覆カバーとを分割し、本体カバーの止水栓側端部に、止水栓エルボの栓体立ち上がり部を貫通させる合成貫通孔嵌合枠形成部を上部と左右の三方に設けるように構成した。
【００１０】
更に、本体カバーの端部に止水栓エルボの外側下端部を被覆するカバー体に着合角変位可能に設けた嵌合突起に対応する嵌合凹部を設けて栓体立ち上がり方向に合わせて本体カバーとエルボカバーを嵌合し、嵌合によって合成形成された嵌合枠を貫通して立ち上がる栓体を、底部にエルボ下端被覆カバーの合成貫通孔嵌合枠と嵌合する通孔嵌合枠、側部に栓体通孔嵌合枠、上部に給水配管連結孔を設けて二分割した栓体カバーを挟着し、更に、栓体通孔から突出する栓体をキッヤップカバーで被覆するように構成した。
【００１１】
この構成により、本体カバー止水栓側端部の上部と左右の三方に設けた合成貫通孔嵌合枠形成部を現場給水管の設定位置に対応して選択し、半円状通孔部に張設された膜壁を破砕して止水栓体を立ち上がらせることができるので、エルボ回動する止水栓の変位位置ごとに保護カバーを成形し、現場給水管の設定位置を事前に確認して保護カバーを用意する無駄を省くことができたものである。
【００１２】
また、複数のカバー片によって嵌合構成されるカバー体の、構成カバー片の嵌合端面において面接合するカバー片同士の接合を、対応するカバー片の接面を厚み方向と長さ方向をそれぞれ分割し、一方片接面の上段区分の一部を接合中心から張出して他方片の嵌合凹部に嵌入する嵌合凸部、他の区分を接合中心から凹陥して他方片の嵌合凸部を受け入れる嵌合凹部とし、上記嵌合凸部の下段は他方片の嵌合凸部を受け入れる嵌合凹部、嵌合凹部の下段は他方片の嵌合凹部に嵌入する嵌合凸部に構成し、嵌め合いにより厚み方向と長さ方向をそれぞれ支持し合って接合するように構成した。
【００１３】
この構成により、主要カバー片の接合が寄木細工の嵌め合い構造状に一体化し、仮止め等を行ってズレを無くしてから面状ファスナーで本固定するといった手数を掛けることなく、強靱で安定した覆着を行える効果を得た。更に、素材として立体化学的に規則正しい化学構造をもち、融点が高く自己消火性もある発泡ポリスチレンを用いることによりメーター設置環境にも対応できるようにしたものである。
【実施例】
【００１４】
以下、本発明の実施例を図面を参照して説明する。１は、１次側に止水栓を着合し、２次側に逆止弁を内蔵着合して配管連結リリースＢに締着支持された水道用メーターＡに覆着する本体カバーで、上部にメーター窓口開口部１１、側端部に配管継手口１２を開口し、窓口開口部の一端に同開口部の開閉蓋体２を開閉可能に軸支する支軸２１を支持するヒンジ部１１ａを形成し、長手方向に沿って分割した一対の側当てカバー片１Ａ、１Ｂから成っている。
【００１５】
側当てカバー片１Ａの内側下側部は、対をなして対向するカバー片１Ｂとの接合面となっており、対応するカバー片の接面の厚み方向を上下２段に分割し、厚み方向上段部は接合中心線Ｙによって分断した底盤１４とし、段差を設けた下段部の左右両側は接合中心線Ｙからカバー片１Ｂ側に張出してカバー片１Ｂの嵌合凹部１Ｂｂに嵌入する嵌合凸部１Ａａ、中央部はカバー片１Ｂの嵌合凸部１Ｂａに嵌入する嵌合凹部１Ａｂに構成し、上段部凸条帯底盤１４と下段部嵌合凸部と凹部が嵌め合いにより厚み方向と長さ方向をそれぞれ支持し合って接合するように構成されている。
【００１６】
本体カバー１が覆着するメーターユニットは１次側に、エルボ部Ｃａを基軸として変位回動する栓体立ち上がり部Ｃｂと栓体部Ｃｃから成る止水栓Ｃが着合されるので、これに両側から覆着するカバー片１Ａ、１Ｂは覆着合成によって図６に示すような止水栓側端部Ｍを形成し、栓体立ち上がり部Ｃｂの角度９０度ずつの回動変位に対応して、本体カバー１の止水栓側端部Ｍには、メーターＡに回動可能に連結される止水栓Ｃのエルボ部Ｃａの栓体立ち上がり部Ｃｂを貫通させる合成貫通孔嵌合枠形成部３が上部と左右の三方に設けられる。
【００１７】
即ち、側当てカバー片１Ａ、１Ｂの上部に４分の１円と側部に半円の合成貫通孔３ａとその周囲の嵌合枠３ｂが形成され、カバー片１Ａ、１Ｂの嵌合により上部４分の１円が半円に合成され、エルボカバー４の上面に開口する半円状の合成貫通孔４ａとの合成により栓体立ち上がり部貫通孔が構成される。各貫通孔形成部には現場にて破砕可能な膜壁３ｃが張設され、止水栓の回動位置によって選択する部位の膜壁だけを破砕して開口するのでカバー内の密封性は保たれるようになっている。
【００１８】
エルボカバー４は、上面に周囲に嵌合枠４ｂが凹陥する上記半円状の合成貫通孔４ａが開口し、その下部がエルボ外側下端部の形状に凹陥して同部を収容する覆着部４ｃを形成して、覆着部に沿って本体カバー１の止水栓側端部との接合面が正方形に形成され、四隅に止水栓側端部Ｍに形成された嵌合凹部Ｍｂに嵌入する嵌合凸部Ｍａが隅切り三角形状に凸設される。
【００１９】
エルボカバー４が上記のように構成されて正方形の接合面を９０度づつ回動させても嵌合凸部Ｍａの止水栓側端部Ｍに対する部位と形状が変化しないので、止水栓の回動位置にしたがって部位を選択して嵌合凹部Ｍｂと嵌合凸部Ｍａを嵌合させて本体カバー１にエルボカバー４を着設する。
【００２０】
５は栓体立ち上がり部Ｃｂに覆着される栓体カバーで、本体カバーとエルボカバーの嵌合によって合成形成された嵌合枠を貫通して立ち上がる栓体を、左右から挟着するカバー片５Ａ、５Ｂから成り、底部にエルボカバー４の合成貫通孔嵌合枠４ｂと止水栓側端部Ｍ上部の合成嵌合枠３ｂによって形成された合成嵌合枠と嵌合する通孔嵌合枠５１ａ、側部に栓体通孔嵌合枠５２ａ、上部に給水配管連結孔５３を設けて二分割される。
【００２１】
分割されたカバー片５Ａの接合面には上部に嵌合凸部５ａ、下部に嵌合凹部５ｂ、カバー片５Ｂの接合面には上部に嵌合凹部５ｂ、下部に嵌合凸部５ａがそれぞれ設定され、嵌め合い構造により立ち上がり部Ｃｂに覆着される。
【００２２】
止水栓Ｃを栓体カバー５で被覆すると、栓体通孔５２から止水栓を開閉する栓翼部のある栓体Ｃｃが突出するので、栓体通孔嵌合枠５２ａと嵌合するキャップカバー６で被覆し、カバー６を外せば止水栓の開閉操作が行えるように構成されている。
【００２３】
以上のように構成した保護カバーは、先ず、配管連結リリースＢに締着支持された水道用メーターＡの一側部に側当てカバー片１Ａの被覆体収容部１３を当接し、同時にヒンジ部１１ａに窓口開口部蓋体２の支軸２１を嵌入すると共に、他側部からカバー片１Ｂを嵌込みながら蓋体２の支軸２１の他端を嵌入し、対向する１Ａ、１Ｂ両片の上部肩接合面と内側下側部の各接合面に設けた嵌合凸部１Ａａと嵌合凹部１Ｂｂを、それぞれ嵌合して水道用メーターＡの本体部を被覆する。
【００２４】
次いで、取水源である給水管の設定位置に合わせて回動固定した止水栓Ｃのエルボ部Ｃａの部位から選択される膜壁３ｃを破砕し、エルボカバー４の接合面を選択部位に合わせた回動位置で各嵌合凸部Ｍａを本体カバー１の止水栓側端部Ｍの各対応嵌合凹部Ｍｂに嵌入してエルボ部Ｃａの下端外側部に覆着する。なお、栓体立ち上がり部Ｃｂはエルボ部Ｃａに対して回動自在となつているので、栓体が側方に立ち上がる場合には立ち上がり部Ｃｂを回動して栓体位置の調整を図る。
【００２５】
エルボカバー４の覆着により、本体カバー１とエルボカバー４の嵌合によって合成形成された貫通孔３ａ、４ａを貫通して栓体立ち上がり部Ｃｂが立ち上がる。これを栓体カバー片５Ａ、５Ｂで、左右から挟着すると栓体通孔嵌合枠５２ａが合成形成され、通孔５２を通して栓体Ｃｃが突出する。突出した栓体Ｃｃはキャップカバー６の内径と嵌合枠５２ａが着脱可能に嵌合して覆蓋され、止水栓、逆止弁を連結したメーターユニットがリリースに締着支持され、集合住宅のパイプシャフト等に取り付けられた状態のままカバーされるものである。
【００２６】
本発明は以上のように構成したので、給水管の設定位置について現場対応が可能な回動止水栓を連結した水道用メーターをリリースに締着支持した状態のままで、カバー片を当接して順次嵌合していくことによって、水道用メーターＡを収納したカバー全体が嵌合によって一体に形成され、メーターへの覆着が当然に行われるもので、面状ファスナーのような固定材を必要とすることなく安定したカバーを行うことができたものである。
【図面の簡単な説明】
【００２７】
【図１】本発明の実施例を示すもので、止水栓の栓体を上側に立ち上げた状態のメーターユニットに保護カバーを被着した状態の全体正面図
【図２】同じく、図１の全体平面図
【図３】同じく、図１の左側面図
【図４】同じく、側当て本体カバー片の被着体収容部材と各嵌合凸部、嵌合凹部、接合開口部等の状態を示す嵌合状態における側当て本体カバーの縦断面側面図
【図５】同じく、対向側当て本体カバー片の嵌合状態を示すもので、メーター窓口開口蓋を除去した状態で対向側当て本体カバー片を嵌合させた状態における平面図
【図６】同じく、側当て本体カバー片の嵌合状態における止水栓側端部のエルボカバー嵌合面を示す図５の左側面図
【図７】同じく、図５の右側面図
【図８】同じく、図５の底面図
【図９】同じく、本体カバー片の嵌合状態における図４のＡ−Ａ断面図
【図１０】同じく、エルボカバーの本体止水栓側端部との嵌合面を示す嵌合面正面図
【図１１】同じく、栓体カバーの構造を示す嵌合状態における栓体カバーの縦断面側面図
【図１２】同じく、被着体メーターユニットのカバー範囲を示す全体側面図
【図１３】同じく、図１１の平面図
【図１４】同じく、図１１の左側面図
【図１５】同じく、止水栓の栓体回動状况を示すユニットの左側面図
【符号の説明】
【００２８】
１    本体カバー
１Ａ    側当て本体カバー片
１Ａａ    本体カバー片下端部の下段嵌合凸部
１Ａｂ    本体カバー片下端部の下段嵌合凹部
１ａ    本体カバー片の嵌合凸部
１ｂ    本体カバー片の嵌合凹部
１Ｂ    側当て本体カバー片
１Ｂａ    対向本体カバー片下端部の下段嵌合凸部
１Ｂｂ    対向本体カバー片下端部の下段嵌合凹部
１１    メーター窓口開口部
１１ａ    メーター窓口蓋開閉支軸支持ヒンジ部
１２    本体カバーの配管継手口
１３    本体カバーの被着体収容部
１４    本体カバー片下端部の上段底盤部
１５    本体カバーのリリースベース端部突出口
２    メーター窓口開閉蓋
２１    メーター窓口開閉蓋の支軸
３    合成貫通孔嵌合枠形成部
３ａ    合成貫通孔
３ｂ    合成嵌合枠
３ｃ    合成貫通孔の膜壁
４    エルボカバー
４ａ    エルボカバーの合成貫通孔
４ｂ    エルボカバーの合成嵌合枠
４ｃ    エルボカバーのエルボ外側下端部を収容する覆着部
５    栓体カバー
５Ａ    栓体カバー片
５Ｂ    栓体カバー片
５１    通孔
５１ａ    通孔嵌合枠
５２    栓体通孔
５２ａ    栓体通孔嵌合枠
５３    給水配管連結孔
５ａ    栓体カバー片の嵌合凸部
５ｂ    栓体カバー片の嵌合凹部
６    キャップカバー
Ａ    水道用メーター
Ｂ    配管連結リリース
Ｃ    止水栓
Ｃａ    止水栓のエルボ部
Ｃｂ    止水栓の栓体立ち上がり部
Ｃｃ    止水栓の栓体部
Ｍ    本体カバーの止水栓側端部
Ｍａ    エルボカバーの止水栓側端への嵌合凸部
Ｍｂ    本体カバーの止水栓側端部の嵌合凹部
Ｍｃ    止水栓の栓体操作部
Ｙ    側当て本体カバー片の接合中心線
【図１】
0004546391.tif 000002
【図２】
0004546391.tif 000003
【図３】
0004546391.tif 000004
【図４】
0004546391.tif 000005
【図５】
0004546391.tif 000006
【図６】
0004546391.tif 000007
【図７】
0004546391.tif 000008
【図８】
0004546391.tif 000009
【図９】
0004546391.tif 000010
【図１０】
0004546391.tif 000011
【図１１】
0004546391.tif 000012
【図１２】
0004546391.tif 000013
【図１３】
0004546391.tif 000014
【図１４】
0004546391.tif 000015
【図１５】
0004546391.tif 000016